(57)【要約】【課題】  液体の充填不良や破損がないように、内袋を輸送タンクに装填する。【解決手段】  内袋本体２１に位置決めマーク及び折曲線位置表示マーク４６を形成する。内袋給排口２２を下に向けた状態で内袋本体２１の両側縁部を長手方向に伸びる中心線に平行に２回谷折りする。この谷折りされた内袋本体２１を、その両端部から内袋給排口２２に向かって多数回谷折りする。内袋供給口２２をタンク供給口１５に挿入する際に、位置決めマークをタンク本体１１の長手方向に伸びた中心線に合わせる。内袋供給口２２のタンク供給口１５への取り付け後に、内袋本体２１をタンク長手方向で展開する。折曲線位置表示マーク４６を基準にして、このマーク４６よりも上に内袋供給口側の端部２１ｍの折曲線４７を位置させる。折曲線４７の位置が内袋供給口２２から離れるため、充填初期に内袋供給口側の端部２１ｍに液６が充填されることがなく、充填不良がなくなる。【選択図】        図１２
2005239277.tif 000002
【特許請求の範囲】
【請求項１】
ほぼ円筒体状の輸送用タンクの一端下部に配置されたタンク給排口に嵌合される内袋給排口を有する封筒型の合成樹脂製内袋を、前記輸送用タンク内に装填する方法において、
前記内袋給排口を下に向けた状態で前記内袋本体の両側縁部が長手方向に伸びる中心線に平行に適数回谷折りされ、この谷折りされた状態の内袋本体が、その両端部から前記内袋給排口に向かって複数回谷折りされ、または一端部から巻き取られる折り畳み工程と、
前記内袋本体に位置決めマークを形成しておき、この位置決めマークを基準にして内袋本体の向きを輸送用タンクに合わせる工程と、
向きを合わせた状態で前記内袋給排口を前記タンク給排口に嵌合して内袋給排口をタンク給排口に取り付ける工程と、
折り畳まれた内袋本体を輸送用タンクの長手方向で展開した後に、前記内袋給排口に近い内袋本体の端部をタンク給排口側に折り曲げ、この折り曲げに際して、その折曲線位置をタンク給排口から少なくとも３０ｍｍ以上離す展開・折曲工程とを有することを特徴とする輸送タンク用内袋の装填方法。
【請求項２】
前記内袋本体または輸送タンクに設けられる折曲線位置表示マークを基準にして、前記展開・折曲工程において前記端部を折り曲げることを特徴とする請求項１記載の輸送タンク用内袋の装填方法。
【請求項３】
前記内袋本体または輸送タンクに設けられる固定手段により、内袋本体が輸送タンクの内周面に仮付けされることを特徴とする請求項１または２記載の輸送タンク用内袋の装填方法。
【請求項４】
前記内袋本体の長さをＩＬ、幅をＩＷ、前記輸送用タンクの長手方向縦断面における内周長をＴＬｔ、前記輸送用タンクの幅方向縦断面における内周長をＴＬｒとしたときに、
０．４７・ＴＬｔ≦ＩＬ≦０．６・ＴＬｔ、
０．４７・ＴＬｒ≦ＩＷ≦０．６・ＴＬｒとし、
前記内袋本体の一端部からＬ１（ただし、０．４４・ＩＷ≦Ｌ１≦０．５・ＩＷ）離れた位置で長手方向に伸びる中心線上またはその近傍に前記内袋給排口を有することを特徴とする請求項３記載の輸送タンク用内袋の装填方法。
【請求項５】
ほぼ円筒体状の輸送用タンクの内部に着脱自在に装着され、合成樹脂製の内袋本体と前記輸送用タンクの一端下部に配置されたタンク給排口に嵌合される内袋給排口とを有する輸送タンク用内袋において、
前記内袋本体を封筒型に形成し、この内袋本体の長さをＩＬ、幅をＩＷ、前記輸送用タンクの長手方向縦断面における内周長をＴＬｔ、前記輸送用タンクの幅方向縦断面における内周長をＴＬｒとしたときに、
０．４７・ＴＬｔ≦ＩＬ≦０．６・ＴＬｔ、
０．４７・ＴＬｒ≦ＩＷ≦０．６・ＴＬｒとし、
前記内袋本体の一端部からＬ１（ただし、０．４４・ＩＷ≦Ｌ１≦０．５・ＩＷ）離れた位置で長手方向に伸びる中心線上またはその近傍に前記内袋給排口を有し、
前記内袋本体は、前記内袋給排口を下に向けた状態で両側縁部が、長手方向に伸びる中心線に平行に適数回谷折りされており、この谷折りされた状態で内袋の両端部から前記内袋給排口に向かって、幅方向に伸びる中心線に平行に谷折りまたは巻取りされることにより、畳まれており、
前記内袋本体の輸送タンク内への装填時に、前記内袋給排口に近い内袋本体の端部をタンク給排口側に折り曲げる際に、その折曲線位置をタンク給排口から少なくとも３０ｍｍ以上離すための折曲線位置表示マークを有することを特徴とする輸送タンク用内袋。
【発明の詳細な説明】
【技術分野】
【０００１】
本発明は輸送タンク用内袋及びその装填方法に関するものである。
【背景技術】
【０００２】
船舶、鉄道、自動車などの貨物輸送において、貨物が液体の場合には、一般的にタンクコンテナが用いられる。このようなタンクコンテナとしては、国際規格であるＩＳＯ規格の例えば２０フィートタンクコンテナ（以下、単にタンクコンテナと称する。）が一般的に用いられる。このタンクコンテナは、長さが２０フィート、幅が８フィート、高さが８フィートであり、約２０トンの液体の充填が可能である。
【０００３】
このようなタンクを用いたコンテナ輸送では、輸送後にタンク内を洗浄する必要があること、耐薬品性を有する高品質なステンレス鋼板を用いてタンクを製造する必要があることなどから、例えば特許文献１に示すように、タンクを一般的な鋼板で製造し、このタンク内に耐薬品性を有する軟質合成樹脂性の内袋を装填することが提案されている。また、特許文献２〜５には、同じようにタンクに内袋を装填して、洗浄などの手間を省くようにしたものが提案されている。
【０００４】
【特許文献１】特開昭６１−１０４９８３号公報
【特許文献２】特開２００１−３５４２９２号公報
【特許文献３】実開昭６１−４８１９０号公報
【特許文献４】特開昭５０−４６１５号公報
【特許文献５】実開昭５７−４６４９２号公報
【発明の開示】
【発明が解決しようとする課題】
【０００５】
しかしながら、上記従来の内袋を有するタンクやタンクコンテナ等については、特許文献１〜５のように種々の提案がなされているものの、２０フィートタンクコンテナなどの大型のタンクに対して、適切な内袋を製造することが困難であり、実用化されていないのが現状である。すなわち、長さが２０フィート、幅が８フィート、高さが８フィートの円筒状タンクに適合する内袋を簡単に安価に製造することが困難であった。
【０００６】
例えば、タンクコンテナの形状に適合した内袋としては、タンクコンテナとほぼ同形状の円筒体状が理想的である。しかし、この場合には筒状フイルムの両端部に円形状蓋フイルムを溶着する必要があり、円形状蓋フイルムの形成、これの溶着といった手間を要し、製造が困難である。しかも、円形状蓋フイルムの溶着では、二次元方向での溶着が不可能であり、三次元方向での溶着となるため、これらフイルムを溶着するためのガイド装置などに専用のものが必要になるという問題もある。
【０００７】
これに対して、封筒型の内袋とすることで、筒状フイルムの両端部を溶着するだけでよく、製造が容易になる。この内袋では、タンクの給排口に内袋の給排口を装填することにより、液体がタンク内面に直に接触することがなくなる。したがって、内袋を取り替えることにより、従来必要であったタンク内の洗浄処理が不要になる。しかし、タンクコンテナは円筒体状であり、この中に封筒型内袋を装填すると、両者の形状の違いから以下のような問題が発生する。まず、円筒体状のタンクコンテナの容量と同等かそれ以上の容量を有する封筒型内袋は、タンクコンテナの長さよりも長く形成する必要があり、このため、図１４（Ａ）に示すように、内袋２をタンク本体３内で装填すると、内袋２の両端部２ａがタンク本体３内で余って、その両端部２ａが折れ曲がった状態になる。この状態で、タンク給排口５から液体６の充填を開始すると、給排口５はタンク３の一端下部に形成されているため、タンク給排口５の近くに内袋端部２ａの折り曲げ線２ｃが位置してしまう。これにより、（Ｂ）に示すように、タンク給排口５から供給された液体６が内袋端部２ａ内に充填初期段階で充填されてしまい、この液体６が充填された端部２ａの重みによりタンク給排口５が塞がれてしまい、送液が不可能になるという問題がある。なお、符号７は内袋吸引防止部材を示しており、この内袋吸引防止部材７は、液体６の排出の最後の段階で、液体６の排出によって内袋２がタンク給排口５内へ吸引されて、給排口５が閉塞されることを防止する。
【０００８】
本発明は上記課題を解決するためになされたものであり、製造が容易な封筒型内袋を用いても、送液が円滑に行えるようにした輸送タンク用内袋及びその装填方法を提供することを目的とする。
【課題を解決するための手段】
【０００９】
上記目的を達成するために、本発明では、ほぼ円筒体状の輸送用タンクの一端下部に配置されたタンク給排口に嵌合される内袋給排口を有する封筒型の合成樹脂製内袋を、前記輸送用タンク内に装填する方法において、前記内袋給排口を下に向けた状態で前記内袋本体の両側縁部が長手方向に伸びる中心線に平行に適数回谷折りされ、この谷折りされた状態の内袋本体が、その両端部から前記内袋給排口に向かって複数回谷折りされ、または一端部から巻き取られる折り畳み工程と、前記内袋本体に位置決めマークを形成しておき、この位置決めマークを基準にして内袋本体の向きを輸送用タンクに合わせる工程と、向きを合わせた状態で前記内袋給排口を前記タンク給排口に嵌合して内袋給排口をタンク給排口に取り付ける工程と、折り畳まれた内袋本体を輸送用タンクの長手方向で展開した後に、前記内袋給排口に近い内袋本体の端部をタンク給排口側に折り曲げ、この折り曲げに際して、その折曲線位置をタンク給排口から少なくとも３０ｍｍ以上離す展開・折曲工程とを有することを特徴とする。
【００１０】
なお、前記内袋本体または輸送タンクに設けられる折曲線位置表示マークを基準にして、前記展開・折曲工程において前記端部を折り曲げることが好ましい。また、前記内袋本体または輸送タンクに設けられる固定手段により、内袋本体が輸送タンクの内周面に仮付けされることが好ましい。また、前記内袋本体の長さをＩＬ、幅をＩＷ、前記輸送用タンクの長手方向縦断面における内周長をＴＬｔ、前記輸送用タンクの幅方向縦断面における内周長をＴＬｒとしたときに、
０．４７・ＴＬｔ≦ＩＬ≦０．６・ＴＬｔ、
０．４７・ＴＬｒ≦ＩＷ≦０．６・ＴＬｒとし、
前記内袋本体の一端部からＬ１（ただし、０．４４・ＩＷ≦Ｌ１≦０．５０・ＩＷ）離れた位置で長手方向に伸びる中心線上またはその近傍に前記内袋給排口を有することが好ましい。
【００１１】
また、本発明は、ほぼ円筒体状の輸送用タンクの内部に着脱自在に装着され、合成樹脂製の内袋本体と前記輸送用タンクの一端下部に配置されたタンク給排口に嵌合される内袋給排口とを有する輸送タンク用内袋において、前記内袋本体を封筒型に形成し、この内袋本体の長さをＩＬ、幅をＩＷ、前記輸送用タンクの長手方向縦断面における内周長をＴＬｔ、前記輸送用タンクの幅方向縦断面における内周長をＴＬｒとしたときに、
０．４７・ＴＬｔ≦ＩＬ≦０．６・ＴＬｔ、
０．４７・ＴＬｒ≦ＩＷ≦０．６・ＴＬｒとし、
前記内袋本体の一端部からＬ１（ただし、０．４４・ＩＷ≦Ｌ１≦０．５０・ＩＷ）離れた位置で長手方向に伸びる中心線上またはその近傍に前記内袋給排口を有し、前記内袋本体は、前記内袋給排口を下に向けた状態で両側縁部が、長手方向に伸びる中心線に平行に適数回谷折りされており、この谷折りされた状態で内袋の両端部から前記内袋給排口に向かって、幅方向に伸びる中心線に平行に谷折りまたは巻取りされることにより、畳まれており、前記内袋本体の輸送タンク内への装填時に、前記内袋給排口に近い内袋本体の端部をタンク給排口側に折り曲げる際に、その折曲線位置をタンク給排口から少なくとも３０ｍｍ以上離すための折曲線位置表示マークを有することを特徴とする。
【発明の効果】
【００１２】
本発明では、内袋本体をタンク内に入れて、内袋給排口に近い内袋本体の端部をタンク給排口側に折り曲げる際に、その折曲線位置をタンク給排口から少なくとも３０ｍｍ以上離すようにしたから、タンク供給口から送液を開始しても、供給口側の内袋本体端部に液体が充填されることがなく、まず、タンク供給口から遠い内袋本体端部に液体が充填されることになる。したがって、供給口側の内袋本体端部に液体が充填されてこの内袋本体端部の重みで供給口が閉塞してしまうことがなく、送液を円滑に行うことができる。
【００１３】
また、前記内袋本体または輸送タンク内に前記折曲線位置を示すマークを設けることによって、折曲線位置を確認することができ、内袋本体のタンク内への装填を確実に行うことができる。前記内袋本体を輸送タンク内に装填する際に、内袋本体を輸送タンクの内周面に固定する固定手段を有することにより、内袋本体の展開が円滑に行われる位置に内袋本体部分を固定することができる。これにより、内袋本体への充填液の重みで内袋本体の端部などがタンク内面と液体が充填された内袋本体部分との間で挟まれてしまうことがなくなり、円滑な送液が可能になる。
【００１４】
内袋本体に位置決めマークを形成しておき、この位置決めマークを基準にして内袋本体の向きを輸送用タンクの取付向きに合わせるようにしたから、タンク内で内袋本体が斜めに装填されることがなくなる。斜めに装填されると、内袋本体がタンク内で片側にずれ、輸送中に余分な荷重がかかって破れ易くなったり、充填不足になったりすることがあるが、これらの発生が抑えられる。
【発明を実施するための最良の形態】
【００１５】
図１は２０フィートのＩＳＯタンクコンテナ１０を示しており、タンク本体１１とこれを保持するフレーム１２とから構成されている。タンク本体１１の上部には、メンテナンスや液体注入などを行うためのハッチ１３が形成されており、このハッチ１３は蓋１４によって覆われて、輸送時には蓋１４が開くことがないように、ロック部材によってロックされている。また、タンク本体１１の一端下部にはタンク給排口１５が形成されており、このタンク給排口１５のフランジ１５ａを介して、フートバルブ１６が固定されている。
【００１６】
タンク本体１１内には、輸送タンク用内袋（以下、単に内袋という）２０が装填される。この内袋２０は、ハッチ１３から作業者によってタンク本体１１内に持ち込まれ、作業者によってタンク本体１１に装填される。そして、フートバルブ１６を介してタンク給排口１５から貨物としての液体が充填されることにより、タンク本体１１内で内袋２０が膨らみ、この内袋２０がタンク本体１１のライニングとして機能する。
【００１７】
図２（Ａ）に示すように、内袋２０は、封筒状に形成された内袋本体２１と、前記タンク給排口１５に嵌合する内袋給排口２２とから構成されている。このように封筒状に内袋２０を形成しているため、図３（Ａ）に示すように、筒状フイルム２３をロール状に巻き取ったフイルムロール２４から、筒状フイルム２３を引き出して、所定の長さに切断し、この切断した二つの筒状フイルム２３ａ，２３ｂの両端部２３ｃ〜２３ｆを熱溶着などによって接合することにより、簡単に内袋本体２１を形成することができる。
【００１８】
図２は、タンク本体１１と内袋２０との寸法の関係を示すもので、（Ａ）はタンク本体１１と内袋２０との平面を、（Ｂ）はタンク本体１１の長手方向縦断面と内袋２０とを、（Ｃ）はタンク本体１１の幅方向縦断面と内袋２０とをそれぞれ示している。ここで、長手方向縦断面とは、（Ａ）の平面図においてタンク本体１１の長手方向に伸びる中心線ＣＬ１を含む縦断面（Ｂ−Ｂ矢視断面）をいい、幅方向縦断面とはタンク本体１１の幅方向に伸びる中心線ＣＬ２を含む縦断面（Ｃ−Ｃ矢視断面）をいう。なお、ＣＬ３はタンク本体１１の高さ方向に伸びる中心線を示している。
【００１９】
タンク本体１１は横置きされて両端が閉じられた円筒体状に構成されており、内袋２０は封筒状に構成されている。したがって、内袋２０のサイズがタンク本体１１に合わせた適正なサイズ範囲よりも小さい場合には、所定の充填容量を確保することができないばかりか、タンク本体１１の内周面と内袋２０の間に隙間が発生し、この隙間内を内袋２０と充填した液体とが移動することになって、内袋給排口２２の溶着部分や、内袋２０の両端部の溶着ラインで破損してしまうことがある。また、逆に内袋２０のサイズがタンク本体に合わせた適正なサイズ範囲を超えて大きい場合には、原材料の無駄につながるだけでなく、内袋２０の端部などの余剰部分が充填された液体の下方に位置してしまうと、この充填液体の重みによって内袋２０の端部が、液体が充填された内袋本体２１とタンク本体１１の内周面との間に挟まれてしまい、それ以上の液体の充填が不可能になってしまう。また、このまま液体の充填が続行される場合には、内袋２０の内圧が高まって、破損してしまうことがある。
【００２０】
本実施形態では、タンク本体１１のサイズを基準にして封筒型の内袋２０のサイズをある一定範囲に規定することにより、上記のような液体の充填不良や、内袋２０の破損などを防止している。内袋２０の長さをＩＬ、その幅をＩＷ、タンク本体１１の長手縦断面における内周長（第１内周長）をＴＬｔ、タンク本体１１の幅方向縦断面における内周長（第２内周長）をＴＬｒとしたときに、
０．４７・ＴＬｔ≦ＩＬ≦０．６・ＴＬｔ、
０．４７・ＴＬｒ≦ＩＷ≦０．６・ＴＬｒとしている。
なお、前記ＩＬ，ＩＷは、好ましくは、
０．４９・ＴＬｔ≦ＩＬ≦０．５５・ＴＬｔ、
０．４９・ＴＬｒ≦ＩＷ≦０．５８・ＴＬｒである。
このようにタンク本体１１の内周長を基準にして封筒型内袋２０のサイズを規定しているため、タンク本体１１の形状が円筒状に限られず、他の楕円形状やその他の形状であっても容易に適用が可能である。
【００２１】
内袋給排口２２は、内袋２０の一端部からＬ１＝１７５０ｍｍ離れた位置で長手方向に伸びる中心線上またはその近傍に設けられる。このように、内袋２０の幅ＩＷを基準にしてＬ１を０．４４・ＩＷ≦Ｌ１≦０．５０・ＩＷの範囲内に規定することにより、タンク本体１１の一端下部に形成されたタンク給排口１５を基準にして内袋２０を取り付けても、タンク本体１１と内袋２０との長手方向での中心位置をほぼ一致させることができる。これにより、内袋２０の両端部の余剰部分をほぼ均等にタンク本体１１内で振り分けることができる。したがって、内袋２０の端部の余剰部分がタンク本体１１の片側で余って、タンク本体１１と内袋２０との間に挟まれてしまうことがなくなり、これに起因する液体の充填不良や内袋破損などがなくなる。
【００２２】
次に、本発明の内袋２０の製造方法について説明する。図４に示すフローチャートのように、筒状フイルムの切断、筒状フイルムの二重化、内袋給排口取付穴の形成、内袋給排口の取り付け、筒状フイルムの一端部の溶着、エア抜き、筒状フイルムの他端部の溶着、位置決めマーク及び折曲線位置表示マークの記録、内袋本体の折り畳み、梱包の各工程が順次に行われて、筒状フイルムから内袋が構成される。なお、内袋給排口取付穴の形成工程、及び内袋給排口の取付工程の後に、筒状フイルムの一端部の溶着工程を行っているが、これに代えて、筒状フイルムの一端部の溶着工程の後に、内袋給排口取付穴の形成工程、及び内袋給排口の取付工程を行ってもよい。
【００２３】
図３（Ａ）に示すように、筒状フイルムの切断工程では、フイルムロール２４から筒状フイルム２３を引き出して、作業台２５上に載せて長さＩＬで例えばカッタ２６により切断する。筒状フイルム２３は、ＬＬＤＰＥ（直鎖状低密度ポリエチレン）から構成されており、ロール形態に巻き取り収納されている。本実施形態では、内袋本体２１を二重化しているので、（Ｂ）に示すように、筒状フイルム２３を長さＩＬで２回切断し、二つの筒状フイルム２３ａ，２３ｂを形成する。本実施形態では２０フィートタンクコンテナ用内袋であるので、上記の適正範囲に基づき輸送用タンクの第１内周長ＴＬｔ≒１５５００ｍｍ、第２内周長ＴＬｒ≒７１００ｍｍから、ＩＬ＝８３００ｍｍ、ＩＷ＝３９００ｍｍとしている。なお、筒状フイルム２３のフイルム単層の厚みは１２０μｍであり、本実施形態では筒状フイルム２３として２層となっているので、筒状フイルム２３の全体厚みは２４０μｍである。なお、フイルム厚みは８０〜５００μｍの範囲が好ましく、特に好ましくは１００〜３００μｍの範囲である。
【００２４】
図３（Ｃ）に示すように、筒状フイルム２３ａ，２３ｂの二重化工程では、一方の筒状フイルム２３ａ内に他方の筒状フイルム２３ｂを入れて二重化する。次に、（Ｄ）に示すように、内袋給排口取付穴の穴あけ工程では、一方の端部２３ｄからＬ１＝１７５０ｍｍ離れた位置で幅方向中央に給排口に対応する穴２７を開ける。この穴開け加工は、パンチやカッタなどを用いて行われ、上側の２層フイルムのみに対して行われる。
【００２５】
図５（Ｅ）に示すように内袋給排口２２の取り付け工程では、開けられた穴２７の周縁に対して内袋給排口２２が熱溶着される。この熱溶着も上側の２層フイルムのみに対して行われる。内袋給排口２２は、截頭円錐筒状の給排口本体２２ａと、これの両端部に取り付けられるフランジ２２ｂ，２２ｃとから構成されており、例えばＬＬＤＰＥで一体成形されている。下側のフランジは溶着用とされており、この溶着フランジ２２ｂと内袋本体２１とは図示しない熱溶着器によって熱溶着され、溶着ライン２８，２９が形成される。また、上側の取付フランジ２２ｃはタンク給排口１５（図６参照）にタンク内側から内袋給排口２２を挿入したときに、タンク給排口１５のフランジ１５ａの外側に出て、このフランジ１５ａに取付フランジ２２ｃが密着する。
【００２６】
図６に示すように、タンク給排口１５のフランジ１５ａには、内袋吸引防止部材３０のフランジ３０ａや、フートバルブ１６が取り付けられ、これにより、内袋給排口２２はタンク給排口１５に確実に取り付けられる。また、給排口本体２２ａは、タンク給排口１５の内周面に沿うように形成されている。
【００２７】
図７（Ｆ）に示すように筒状フイルムの一端部の溶着工程では、二重化された筒状フイルム２３ａ，２３ｂの一端部２３ｃ，２３ｅのフイルム４層が、熱溶着器３３によって同時に熱溶着され一端部２３ｃ，２３ｅが閉じられる。熱溶着器３３は、受け台３３ａと溶着ヘッド３３ｂとから構成されており、溶着ヘッド３３ｂが下降して受け台３３ａとにより筒状フイルム端部２３ｃを挟持した状態で熱が付与される。
【００２８】
図８（Ａ）に示すように、熱溶着ライン３５ａ，３５ｂは、本実施形態では幅５ｍｍの直線状であり、これらの熱溶着ライン３５ａ，３５ｂは隙間５〜１０ｍｍを設けて２条形成しているが、熱溶着ラインは１条や３条以上であってもよく、また、直線状に代えて波形などの溶着ラインとしてもよい。複条の熱溶着ラインの形成に際して、各溶着ラインは一括して形成してもよく、または片側ずつ順に形成してもよい。（Ａ）は外側筒状フイルム２３ａと内側筒状フイルム２３ｂとの端部２３ｃ，２３ｅを４層状態で溶着したものであり、この場合には、熱溶着ライン３５ａ，３５ｂを一括して形成しても片側ずつ順に形成してもよい。（Ｂ）は内側の筒状フイルム２３ｂの一端部２３ｅのみを先ず溶着して熱溶着ライン３６ａを形成し、次に外側筒状フイルム２３ａの一端部２３ｃと内側筒状フイルム２３ｂの一端部２３ｅを、先の溶着ライン３６ａの外側で４層状態で一括して溶着して熱溶着ライン３６ｂを形成している。また、（Ｃ）は、内側の筒状フイルム２３ｂを外側筒状フイルム２３ａに比べて少し短くしておき、それぞれの筒状フイルム２３ａ，２３ｂの端部２３ｃ，２３ｅを二層状態で個別に熱溶着し、熱溶着ライン３７ａ，３７ｂを形成している。なお、熱溶着ラインは、全幅分を一括して溶着してもよく、また溶着ヘッド３３ｂの長さが制限される場合には、溶着ヘッド３３ｂの長さ分ずつ逐次溶着してもよい。熱溶着器３３はヒートシール方式を採用しているが、超音波溶着法やその他の溶着方法、あるいは接着剤で行ってもよく、さらには、溶着と接着とを併せて用いてもよい。また、各溶着ラインの両端部を補強するために図示しない補強フイルムを筒状フイルム２３ａ，２３ｂの両側縁部に当てて熱溶着を行ってもよい。
【００２９】
図７（Ｇ）に示すようにエア抜き工程では、筒状フイルム２３ａ，２３ｂの熱溶着した一端部２３ｃから他端部２３ｄに向けて押圧ローラ３８を作業台２５の上で転がすことにより、二重化された内袋本体２１のエア３９が抜かれる。なお、エア抜きは、押圧ローラ３８の転接に代えて、内袋本体２１を一端側から他端側に折り畳んでゆくことによりエア抜きしてもよい。なお、他端部２３ｄ近くには内袋給排口２２が突出して取り付けられているので、この部分を回避するように小さなローラが用いられて、内袋給排口２２と他端部２３ｄとの間のエアが抜かれる。
【００３０】
（Ｈ）に示すように筒状フイルム２３ａ，２３ｂの他端部２３ｄ，２３ｆの溶着工程では、エア抜きされた筒状フイルム２３ａ，２３ｂの他端部２３ｄ，２３ｆが一端部２３ｃ，２３ｅと同様に熱溶着器３３で熱溶着され、図９（Ａ）に示すように、内袋２０が完成する。そして、内袋２０には、長手方向に伸びる中心線に沿ってライン状の位置決めマーク４５が例えば黒色の油性インクなどで記録される。また、内袋供給口２２に近い内袋本体端部（以下、単に第１端部２１ｍといい、他方の端部を第２端部２１ｎという）の折り曲げ限界位置を示す折曲線位置表示マーク４６が例えば赤色の油性インクなどで内袋本体２１の幅方向に伸びて記録されている。
【００３１】
折曲線位置表示マーク４６は本実施形態では、内袋供給口２２の内周縁からＬ２（本実施形態ではＬ２＝１００ｍｍ）離れた位置で、ＩＷ／２の長さで形成しているが、幅方向全体に渡る長さで形成してもよい。内袋供給口２２の内周縁から折曲線位置表示マーク４６までの距離Ｌ２は、３０ｍｍ以上あればよく、好ましくは６０ｍｍ以上、より好ましくは１００ｍｍ以上である。この折曲線位置表示マーク４６を基準にして、これよりも上側で内袋本体端部２１ｍを内袋供給口２２側へ折り曲げることで、後に説明するように円滑な送液が行える。なお、各マーク４５，４６の色を変えることによって、これらマークを確実に識別することができる。内袋２０の完成後は、内袋本体２１が折り畳まれて、梱包袋４０に収納される。この折り畳みの際に各マーク４５，４６を基準にすることにより、折り曲げ位置が正確になる。また、位置決めマーク４５や折曲線位置表示マーク４６は本実施形態ではライン状であるが、これは位置決めすることができるものであればよく、形状やそのサイズなどは特に限定されない。また、これらマーク４５，４６は油性インクなどによる書き込み、印刷などに代えて、シールを貼付して形成してもよい。
【００３２】
図９（Ａ）に示すように、内袋本体２１の折り畳みは、内袋給排口２２を下に向けた状態で両側縁部２１ａ，２１ｂが長手方向に伸びる中心線（位置決めマーク４５）に平行に、且つこの中心線に両側縁部２１ａ，２１ｂが近接するように、谷折り線２１ｅに沿って谷折りされる。同様にしてこの谷折りした部分を再度長手方向に伸びる中心線に平行に且つこの中心線に谷折り線２１ｅが近接するように谷折り線２１ｆに沿って谷折りされ、二重に折り畳まれる。そして、（Ｂ）に示すように、谷折り線２１ｅ，２１ｆで谷折りされた状態で内袋本体２１の両端部２１ｃ，２１ｄから前記内袋給排口２２に向かって谷折り線２１ｇに沿ってさらに複数回、谷折りされることにより、（Ｃ）に示すように、内袋本体２１が小さく折り畳まれる。なお、谷折り線２１ｇに沿って谷折りする代わりに、一端部から巻き取ってロール状に形成してもよい。そして、（Ｄ）に示すように、梱包袋４０に収納される。このように谷折り線２１ｅ，２１ｆに沿って二重に折り畳むことで、内袋本体２１をコンパクトに収納することができる。なお、長手方向に伸びる中心線に平行に谷折りする回数は２回に限られず、１回または３回以上であってもよい。
【００３３】
内袋給排口２２が外側になるように内袋本体２１を折り畳むことにより、タンク給排口１５に内袋給排口２２を簡単に装填することができる。しかも、谷折り線２１ｇにより内袋本体２１を谷折りすることにより、内袋給排口２２をタンク給排口１５に装填した状態で簡単に内袋本体２１をタンク本体１１の長手方向に容易に拡開することができる。しかも、内袋給排口２２を下に向けた状態で各谷折り線２１ｅ，２１ｆで谷折りにすることにより、内袋給排口２２から液体を充填することで、充填された液体によって折り畳まれた内袋本体２１が自然に拡開するようになる。
【００３４】
次に、内袋本体２１のタンク本体１１への装填方法を説明する。図１０は、装填方法の処理手順を示している。作業者によってハッチ１３から、梱包袋４０に収納された状態で内袋２０がタンク本体１１内に持ち込まれて、梱包袋４０から内袋２０が取り出される。内袋２０には、タンク本体１１の長手方向に伸びる中心線ＣＬ１に対応するようにライン状の位置決めマーク４５が記録されており、この位置決めマーク４５をタンク本体１１の長手方向に伸びる中心線ＣＬ１に合わせるようにして、タンク給排口１５に内袋給排口２２を挿入する。この挿入前には、タンク給排口１５のフランジ１５ａからフートバルブ１６が外されている。この挿入により、取付フランジ２２ｃがタンク給排口１５のフランジ１５ａに密着される。
【００３５】
タンク本体１１の長手方向中心線ＣＬ１に位置決めマーク４５を合わせることにより、タンク本体１１内で内袋本体２１が中心線ＣＬ１に対して傾いたりして取り付けられることがなくなり、この傾斜取り付けに起因する充填不良や、余分な荷重による破損の発生などが抑えられる。なお、タンク本体１１には中心線ＣＬ１に沿って位置合わせマークを形成しておくことが好ましいが、この位置合わせマークは省略してもよい。位置合わせマークは、インクなどによる書き込みの他に、刻印や溝、突条の付与、シールの貼付などによって形成される。
【００３６】
次に、谷折り線２１ｇで折り畳まれた内袋本体２１をタンク長手方向で展開する。次に、谷折り線２１ｆで谷折りされた部分を展開する。
【００３７】
次に、図１１及び図１２（Ａ）に示すように、折曲線位置表示マーク４６を基準にして、この折曲線位置表示マーク４６よりも上側に実際の折曲線４７が位置するようにして、第１端部２１ｍを折り曲げて、タンク本体１１内の内袋本体２１の取り付け作業を終了する。なお、図１１（Ｂ）に示すように、谷折り線２１ｅで谷折りされた両側縁部２２ｐ，２２ｑは折り畳まれた状態にしておく。この折り畳まれた状態の内袋本体２１によりタンク本体１１の底部のほぼ全幅が覆われており、谷折り線２１ｅでの谷折りを展開しても自重で再度折れてしまうからである。この後、図６に示すように、タンク給排口１５に、タンク本体１１の外側から内袋吸引防止部材３０、フートバルブ１６などが取り付けられる。
【００３８】
図１２（Ｂ）に示すように、貨物としての液体６は、タンク給排口１５から充填される。この充填速度は例えば５０リットル／ｍｉｎである。内袋本体２１はタンク本体１１内で長手方向に拡げられているので、液体６が円滑に内袋本体２１内に充填され、この充填によって内袋本体２１が膨らむ。そして、側縁部２１ｐ，２１ｑが谷折りされた状態でも液体６の充填に伴い次第に折り畳み部分が拡がって、タンク本体１１内で内袋本体２１の端部が液体充填部分の内袋本体２１の重みで内袋本体２１とタンク本体１１との間に挟み込まれることもなく、内袋本体２１が円滑に液体６の充填で膨らみ、約２０トンの液体が収納される。また、（Ａ）に示すように、折曲線位置表示マーク４６を基準にしてそれよりも上側で、第１端部２１ｍがタンク給排口側に折曲線４７によって折られるため、図１４に示すように、第１端部２１ｍ側に最初に液体６が進入してしまうことがなく、図１２（Ｂ）に示すように、第２端部２１ｎに向けて液体６が充填されるため、第１端部２１ｍに先に液体６が充填されることによる充填不良を解消することができる。なお、折曲線４７の位置を所定位置にする代わりに又は加えて、充填初期段階の充填速度を例えば５〜１０リットル／ｍｉｎ程度に抑えて、第２端部２３ｎ側に液体６が優先的に充填されるようにしてもよい。また、折曲線位置表示マーク４６は内袋本体２１に設けたが、タンク本体１１内面に形成してもよい。
【００３９】
本実施形態では、タンク本体１１内で縦方向に拡げられて内袋本体２１が装填されるが、内袋本体２１はその側縁部２１ｐ，２１ｑが幅方向に伸びる中心線に向けて谷折りされており、内袋本体２１内にエアが入り込まないようになっているので、嫌気性液体にも対応が可能である。また、内袋本体２１及び内袋給排口２２を耐薬品性が高いＬＬＤＰＥから構成しているため、タンク本体１１の材質が制限されることがなく、また、タンク内周面を、例えばポリテトラフルオロエチレンなどのフッ素樹脂でライニングする必要もなくなる。
【００４０】
タンク給排口１５から内袋給排口２２内に配置される内袋吸引防止部材３０は、液体を排出する際に、残存液体が少なくなって内袋本体２１が内袋給排口２２近くに位置したときに、この近くに位置する内袋本体２１を吸引して給排口２２を閉塞してしまうことがないように、内袋本体２１との間に通路を確保するものである。この内袋吸引防止部材３０は、タンク本体１１内に突出して配置される半球状先端部３０ｂと、これに連続し、周面に複数の連通孔３０ｃを有する筒部３０ｄと、筒部３０ｄの基部に設けられる取付フランジ３０ａとから一体的に構成されている。この半球状先端部３０ｂの内袋本体２１内への突出により内袋本体２１が給排口２２に密着してしまうことがなくなり、連通孔３０ｃを介して内袋本体２１内の残存液体が確実に排出される。
【００４１】
内袋本体２１には、内袋給排口２２の他に、タンク側のハッチに対応する位置で、図示しないエア抜きキャップや、エア抜き弁などを溶着してもよく、この場合には、内袋本体の装填作業や送液作業によってエアが入ってしまった場合に、これを簡単に抜くことができる。
【００４２】
内袋本体２１は、ＬＬＤＰＥから構成したが、この他に、ＬＤＰＥ（低密度ポリエチレン）、ＯＰ（ニ軸延伸ポリプロピレン）や、その他の合成樹脂から構成してよい。また、内袋本体２１を二重化したが、これに代えて、三重以上の多重化としてもよい。また、タンク本体を円筒状に構成したが、これに代えて、楕円筒状やその他の形状に構成したものに対しても本発明を実施することができる。また、本発明の内袋をタンクコンテナに用いたが、この他にタンクローリーなどのタンク用内袋として用いることもできる。
【００４３】
図１３は、両面粘着テープ７０による固定手段を用いて内袋本体２１をタンク本体１１に装填した状態を示している。両面粘着テープ７０は、内袋本体２１の折り畳み工程において、所定位置に貼り付けられる。この貼り付けに際しては、一方の剥離シートを剥離してその粘着面により両面粘着テープ７０が貼り付けられる。そして、図１３に示す内袋本体２１の展開時に、他方の剥離シートを剥離して、その粘着面をタンク本体１１の内面に貼り付けることで、内袋本体２１が展開容易なようにタンク本体１１の内面に固定される。なお、粘着テープ７０の粘着力は、内袋本体２１がタンク本体１１の内面に仮付けされる程度のものでよく、液体の充填時には、内袋本体２１の膨らみに応じて粘着テープ７０がタンク本体１１の内面から剥離して、内袋本体２１の膨らみを規制することがないようにしている。
【００４４】
また、図１３においては、両面粘着シート７０を用いて、内袋本体２１をタンク本体１１の内面に仮付けしたが、両面粘着シート７０の代わりにマグネットシートを内袋本体１１に貼り付けておき、磁力によるタンク本体１１の内面への吸着で内袋本体２１をタンク本体１１の内面に仮付けしてもよい。
【００４５】
内袋本体２１の両端角部は、他の部位に比べて突出した形状となるため、タンク内面に接触して擦れが発生しやすい。この擦れ対策として、両端角部を内側に折り返して、合成樹脂製クリップや粘着テープ、接着テープなどを用いて折り返し状態を保持して、タンク内に装填してもよい。
【００４６】
また、内袋本体２１に、シールや油性インクを用いて、装着手順を示す番号などを付してもよい。例えば、タンク内で内袋本体２１を拡開するときに、拡開順序を示す番号を付して、各対応する部位に付しておくと、装填を確実に行うことができる。
【００４７】
上記実施形態では、内袋吸引防止部材３０を用いた実施形態について説明したが、内袋吸引防止部材３０を用いない場合にも、本発明を実施することができる。
【図面の簡単な説明】
【００４８】
【図１】本発明の輸送タンク用内袋が用いられるタンクコンテナを示す正面図である。
【図２】タンク本体に適合する内袋サイズの説明図であり、（Ａ）はタンク本体と内袋の平面を、（Ｂ）はタンク本体の長手方向縦断面を、（Ｃ）はタンク本体の幅方向縦断面をそれぞれ示している。
【図３】内袋の製造方法を示す概略の斜視図である。
【図４】内袋の製造方法を示すフローチャートである。
【図５】内袋の製造方法における給排口の溶着工程を示す斜視図である。
【図６】タンク給排口に内袋給排口を取り付けた状態を示す断面図である。
【図７】筒状フイルムの両端部の溶着工程と、エア抜き工程とを示す斜視図である。
【図８】内袋本体の溶着ラインを拡大して示す平面図であり、（Ａ）は内側と外側の筒状フイルムを４層状態で一括して熱溶着した例を、（Ｂ）は内側筒状フイルムの端部のみを２層状態で熱溶着した後に、内側及び外側の筒状フイルムを４層状態で一括して熱溶着した例を、（Ｃ）は内側筒状フイルムと外側筒状フイルムとのそれぞれの端部を２層状態で熱溶着した例をそれぞれ示している。
【図９】内袋の折り畳み方法を示す説明図である。
【図１０】内袋のタンク本体への装填手順を示すフローチャートである。
【図１１】タンク本体への内袋２０の装填状態を示すもので、（Ａ）は長手方向縦断面図であり、（Ｂ）は幅方向縦断面図である。
【図１２】折曲線位置表示マークを参照して第１端部をタンク給排口の上に折り曲げた状態を示す概略の断面図であり、（Ａ）は液体の充填前の状態を示し、（Ｂ）は液体の充填を開始した初期段階の状態を示している。
【図１３】他の実施形態におけるタンク本体への内袋２０の装填状態を示すもので、（Ａ）は長手方向縦断面図であり、（Ｂ）は幅方向縦断面図である。
【図１４】第１端部がタンク給排口の上部近くで折り曲げられたときの充填を開始した初期段階の状態を示す要部の拡大した断面図である。
【符号の説明】
【００４９】
６  液体
１０  タンクコンテナ
１１  タンク本体
１５  タンク給排口
１６  フートバルブ
２０  内袋
２１  内袋本体
２２  内袋給排口
２３，２３ａ，２３ｂ  筒状フイルム
３０  内袋吸引防止部材
４５  位置決めマーク
４６  折曲線位置表示マーク
４７  折曲線
【図１】
2005239277.tif 000003
【図２】
2005239277.tif 000004
【図３】
2005239277.tif 000005
【図４】
2005239277.tif 000006
【図５】
2005239277.tif 000007
【図６】
2005239277.tif 000008
【図７】
2005239277.tif 000009
【図８】
2005239277.tif 000010
【図９】
2005239277.tif 000011
【図１０】
2005239277.tif 000012
【図１１】
2005239277.tif 000013
【図１２】
2005239277.tif 000014
【図１３】
2005239277.tif 000015
【図１４】
2005239277.tif 000016